(57)【要約】【課題】便蓋に合せ目が存在せず、見栄えが良いと共に、便蓋に塵やゴミが溜ることがない便蓋装置を提供する。【解決手段】ロータンクカバー２２の前面に便座２４及び便蓋装置２６が取り付けられている。便蓋装置２６は、便蓋２８と、該便蓋２８の左右両側部に配置された１対のアーム３０，３０とを備えてなる。該便蓋２８は一枚物である。各アーム３０の前端は、便蓋２８の側部から延出した回動軸３０ａに連結され、後端はロータンクカバー２２の凸部２２ａから延出した駆動軸３０ｂに連結されている。駆動軸３０ｂが回転駆動されると、各アーム３０が起立回動する。便蓋２８は、前端が後端よりも下位となるように回動軸３０ａを回動中心として回動し、その前面を洋風便器２０の前方に向けたまま起立する。【選択図】  図１
2004223073.tif 000002
【特許請求の範囲】
【請求項１】
便蓋と、該便蓋の支持部材とを備えてなる便蓋装置において、
該支持部材は、後端が便器後部上面部材に対し回動自在に連結され、前端が便蓋の側部に回動自在に連結されたアームよりなることを特徴とする便蓋装置。
【請求項２】
請求項１において、該便器後部上面部材は便座ボックス又はロータンクカバーであることを特徴とする便蓋装置。
【請求項３】
便蓋と、該便蓋の支持部材とを備えてなる便蓋装置において、
該支持部材は、便器後部上面のロータンクカバーに上下方向に延設されたガイドレールと、該便蓋の後部に設けられており、該ガイドレールに沿って移動する移動部材とを備えてなることを特徴とする便蓋装置。
【請求項４】
請求項３において、該ガイドレールにラックが設けられており、前記移動部材は該ラックに噛合したピニオンであることを特徴とする便蓋装置。
【請求項５】
請求項４において、該ピニオンを回転駆動するモータが該便蓋に設けられていることを特徴とする便蓋装置。
【発明の詳細な説明】
【０００１】
【発明の属する技術分野】
本発明は、洋風便器に設置される便蓋装置に係り、特に便蓋の上面が便器前方を向くように開き出す便蓋装置に関する。
【０００２】
【従来の技術】
洋風便器の後部上面に便座ボックスやロータンクカバーが設置され、この便座ボックス又はロータンクカバーの前面に便座及び便蓋を起倒方向回動可能に取り付けた洋風便器設備が広く用いられている。
【０００３】
第７図は便座ボックスを備えた洋風便器の一例を示し、第８図はロータンクカバーを備えた洋風便器の一例を示している。
【０００４】
第７図では、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。
【０００５】
第８図では、洋風便器１の後部上面にロータンクカバー６が設置され、このロータンクカバー６に対し便座４と便蓋５とが起倒回動可能に取り付けられている。このロータンクカバー６内には、ロータンク、温水洗浄装置等が設置されている。
【０００６】
上記第７，８図の便蓋５は、いずれも開放（起立）時に下面（裏面）が便器前方を向いている。この起立した便蓋５に対し便座着座者が寄り掛ることがあるが、この下面には、尿や鉢内からの飛散物が付着していることがあり、寄り掛るのには不適切なことがある。
【０００７】
実開平７−１９６号公報には、便蓋を中折れする構造とすることにより、便蓋開放時にも便蓋の上面が便器前方を向くようにした便蓋装置が記載されている。
【０００８】
第５，６図は同号公報の便蓋装置を示す斜視図であり、第５図は便蓋閉止時、第６図は便蓋開放途中時を示している。
【０００９】
図示の通り、便蓋１０は、前半体１１と後半体１２とからなり、後半体１２の後部が枢支部材１３により洋風便器１４に上下方向回動自在に連結されている。この後半体１２の前縁に対し前半体１１の後縁が回動自在に連結されている。
【００１０】
【特許文献１】
実開平７−１９６号公報
【００１１】
【発明が解決しようとする課題】
上記実開平７−１９６号公報の便蓋装置にあっては、第５図の通り、便蓋１０に前半体１１と後半体１２との合せ目Ｌが生じてしまい、意匠的に見栄えが劣るだけでなく、合せ目Ｌに塵やゴミが溜り易い。
【００１２】
本発明は、便蓋に合せ目が無く、見栄えが良いと共に便蓋に塵やゴミが溜ることがない便蓋装置を提供することを目的とする。
【００１３】
【課題を解決するための手段】
本発明（請求項１）の便蓋装置は、便蓋と、該便蓋の支持部材とを備えてなる便蓋装置において、該支持部材は、後端が便器後部上面部材に対し回動自在に連結され、前端が便蓋の側部に回動自在に連結されたアームよりなることを特徴とするものである。
【００１４】
この便器後部上面部材としては、便座ボックスやロータンクカバーが例示される。
【００１５】
また、本発明（請求項３）の便蓋装置は、便蓋と、該便蓋の支持部材とを備えてなる便蓋装置において、該支持部材は、便器後部上面のロータンクカバーに上下方向に延設されたガイドレールと、該便蓋の後部に設けられており、該ガイドレールに沿って移動する移動部材とを備えてなることを特徴とするものである。
【００１６】
かかる本発明の便蓋装置にあっては、便蓋は、常にその上面が便器前方を向いたまま回動し、起立状態時にあっても便蓋の上面が前方を向いている。そのため、便座着座者が寄り掛っても、便蓋の上面が便座着座者の背中に接触することになり、衛生的である。
【００１７】
また、この便蓋装置にあっては、便蓋は前端から後端にかけて一枚物となっており、合せ目が存在せず、見栄えが良いと共に便蓋に塵やゴミが溜ることがない。
【００１８】
請求項３の便蓋装置においては、ガイドレールにラックが設けられており、前記移動部材は該ラックに噛合したピニオンであることが好ましい。このように構成することにより、便蓋をガイドレールに沿ってスムーズに開閉させることができる。
【００１９】
この場合、ピニオンを回転駆動するモータが便蓋に設けられていてもよい。このように構成した場合には、便蓋を自動開閉或いはスイッチ操作で開閉させる便蓋装置においても、常に便蓋の上面が便器前方を向いたまま回動し、起立状態時にあっても便蓋の上面が前方を向くように便蓋を開閉させることが可能となる。
【００２０】
【発明の実施の形態】
以下、図面を参照して本発明の実施の形態について説明する。
【００２１】
第１図は本発明の実施の形態に係る便蓋装置を備えた洋風便器の斜視図であり、第２図はこの便蓋装置の作動態様を示す洋風便器の側面図である。なお、第１図は便蓋開放途中時を示している。
【００２２】
以下の説明において、前後方向及び左右方向とは、便座着座者にとっての前後方向及び左右方向をいう。
【００２３】
図示の通り、この実施の形態では、洋風便器２０の後部上面に、便器後部上面部材としてロータンクカバー２２が設置され、このロータンクカバー２２の前面に便座２４及び便蓋装置２６が設けられている。該便座２４の後縁部の左右両端側からは、後方に向って１対の延出部２４ａ，２４ａが延出しており、ロータンクカバー２２の前面の下部には、これらの延出部２４ａ，２４ａ同士の間に突出する凸部２２ａが設けられている。便座２４は、各延出部２４ａがこの凸部２２ａの左右の側部に沿って配置され、回動軸（図示略）を介して上下方向に回動（起倒回動）自在に該凸部２２ａに取り付けられている。
【００２４】
便蓋装置２６は、便蓋２８と、該便蓋２８の支持部材としての１対のアーム３０，３０とを備えている。該便蓋２８は、一枚物となっている。各アーム３０は、該便蓋２８の左右の側部に沿って配置されている。
【００２５】
各アーム３０の先端は、便蓋２８の左右の側部から側方に延出した回動軸３０ａに上下方向回動自在に連結されている。また、各アーム３０の後端は、ロータンクカバー２２の凸部２２ａの左右の側部から側方に延出した駆動軸３０ｂに連結されている。左右の回動軸３０ａ同士及び駆動軸３０ｂ同士は、それぞれ互いに同軸状に水平方向に延在している。
【００２６】
該凸部２２ａ内には、この駆動軸３０ｂを回転駆動するモータを備えた駆動装置（図示略）が設けられている。この駆動装置は、リモコン（図示略）の便蓋開閉スイッチを操作することにより作動され、該回動軸３０ｂを回転駆動して各アーム３０を上下方向に回動（起倒回動）させる。左右のアーム３０，３０は、互いに同調しつつ起倒回動する。
【００２７】
便蓋２８は、この実施の形態では、その前後方向の途中部分において、各アーム３０が連結された回動軸３０ａよりも前端側となる位置に重心を有している。そのため、第２図に示すように、各アーム３０が起立回動したときには、この便蓋２８は、便座２４から浮上するのに伴ってその前端側が後端側よりも下位となるように該回動軸３０ａを回動中心として回動し、その上面を洋風便器２０の前方に向けたままロータンクカバー２２の前面に寄り掛かるようにして起立する。
【００２８】
各アーム３０が倒伏回動したときには、便蓋２８は、その前端が便座２４の上面に沿って前方移動すると共に後端が便座２４上に降下することにより、該便座２４上に倒伏する。
【００２９】
なお、前記駆動装置には、この便蓋２８がロータンクカバー２２の前面に寄り掛かるようにして起立状態となったこと及び便座２４上において倒伏状態となったことをリミットスイッチやロータリエンコーダ等で検知して各アーム３０の起倒回動を停止させる制御器が設けられている。
【００３０】
この便蓋装置２６にあっては、便蓋２８は、常にその上面が便器２０の前方を向いたまま回動し、起立状態時にあっても便蓋２８の上面が前方を向いている。そのため、便座着座者が寄り掛っても、便蓋２８の上面が便座着座者の背中に接触することになり、衛生的である。
【００３１】
また、この便蓋装置２６にあっては、便蓋２８は前端から後端にかけて一枚物となっており、合せ目が存在せず、見栄えが良いと共に便蓋２８に塵やゴミが溜ることがない。
【００３２】
この実施の形態では、便器後部上面部材としてロータンクカバー２２を採用しているが、このロータンクカバー２２の代りに便座ボックスを採用してもよい。
【００３３】
第３図は本発明の別の実施の形態に係る便蓋装置の構成を示す洋風便器の斜視図（分解斜視図）であり、第４図は、この便蓋装置の作動態様を示す洋風便器の側面図である。
【００３４】
この実施の形態でも、洋風便器２０の後部上面にロータンクカバー２２Ａが設置され、このロータンクカバー２２Ａの前面に便座２４及び便蓋装置４０が設けられている。該便座２４は、その後縁部の左右両端側から後方に延出した１対の延出部２４ａ，２４ａが、ロータンクカバー２２Ａの前面の下部からこれらの間に突出した凸部２２ａの両側部に沿って配置され、回動軸（図示略）を介して起倒回動可能に該凸部２２ａに取り付けられている。
【００３５】
便蓋装置４０は、第３図に示すように、便蓋４２と、該便蓋４２の支持部材としてロータンクカバー２２Ａの前面の左右両側縁部に沿って上下方向に延設された１対のガイドレール４４，４４とを備えている。この実施の形態でも、便蓋４２は一枚物となっている。該ガイドレール４４，４４同士は互いに平行に延在している。
【００３６】
これらのガイドレール４４，４４の対向面には、それぞれ、長手方向に延在するガイド溝４４ａが設けられており、各ガイド溝４４ａの一方の側面（この実施の形態では、第３図に示すように、洋風便器２０の前方を向いている面。）に沿ってラック４６が延設されている。
【００３７】
便蓋４２の後端の左右両側部からは、それぞれ側方に駆動軸４８ａが延出しており、各駆動軸４８ａの先端に、ガイドレール移動部材としてピニオン５０が固着されている。左右の駆動軸４８ａ，４８ａ同士及びピニオン５０，５０同士は、それぞれ互いに同軸状に水平方向に延在している。該便蓋４２の後部には、このピニオン５０を回転駆動するモータ（図示略）を備えた駆動装置４８が内蔵されている。この駆動装置４８も、前述の実施の形態の駆動装置と同様、リモコン（図示略）の便蓋開閉スイッチを操作することにより作動し、各ピニオン５０を回転駆動する。左右のピニオン５０，５０は、互いに同調して回転する。
【００３８】
便蓋４２は、左右のピニオン５０がそれぞれラック４６と噛合するように各ガイドレール４４のガイド溝４４ａに嵌入される。各ピニオン５０は、駆動装置４８の駆動力によって回転されると、ラック４６の歯に順次噛合することによりガイド溝４４ａ内を上下に移動する。
【００３９】
各ピニオン５０がガイド溝４４ａの下端側から上端側に向って移動したときには、第４図に示すように、便座４２の後端がロータンクカバー２２Ａの前面に沿って釣り上げられるようにして便座２４から浮上し、これに伴って便蓋４２の前端が便座２４に沿って後方移動する。これにより、該便蓋４２はその上面を洋風便器２０の前方に向けたまま起立する。
【００４０】
各ピニオン５０がガイド溝４４ａの上端側から下端側に移動しているときには、便蓋４２の後端がロータンクカバー２２Ａの前面に沿って下方に引き下ろされ、これに伴って便蓋４２の前端が便座２４に沿って前方移動する。これにより、該便蓋４２は便座２４上に倒伏する。
【００４１】
なお、前記駆動装置４８には、この便蓋４２が起立状態となったこと及び便座２４上において倒伏状態となったことをリミットスイッチやロータリエンコーダ等で検知して各ピニオン５０の回転を停止させる制御器が設けられている。
【００４２】
この便蓋装置４０にあっても、便蓋４２は、常にその上面が便器２０の前方を向いたまま回動し、起立状態時にあっても便蓋４２の上面が前方を向いている。そのため、便座着座者が寄り掛っても、便蓋４２の上面が便座着座者の背中に接触することになり、衛生的である。
【００４３】
また、この便蓋装置４０にあっても、便蓋４２は前端から後端にかけて一枚物となっており、合せ目が存在せず、見栄えが良いと共に便蓋４２に塵やゴミが溜ることがない。
【００４４】
上記の各実施の形態は本発明の一例を示すものであり、本発明は上記の各実施の形態に限定されるものではない。
【００４５】
例えば、上記の各実施の形態では、リモコンに設けられた便蓋開閉スイッチを操作することにより駆動装置が作動して便蓋の開閉が行われるように構成しているが、駆動装置の作動方法はこれ以外のものであってもよい。例えば、図示はしないが、洋風便器に人体が接近したこと及び洋風便器付近から人体が立ち去ったことを感知する人体感知センサをロータンクカバー等に設け、この人体感知センサが洋風便器への人体の接近を感知したときに自動的に便蓋が開き出すと共に、人体が洋風便器付近から立ち去ったときに自動的に便蓋が閉じるように駆動装置を作動させる構成としてもよい。
【００４６】
ただし、本発明においては、この便蓋の開閉を手動にて行うよう構成してもよい。
【００４７】
【発明の効果】
以上の通り、本発明の便蓋装置にあっては、便蓋が常にその上面を便器前方に向けたまま回動し、起立状態時にあっても便蓋の上面が前方を向いているので、便座着座者が寄り掛っても、便蓋の上面が便座着座者の背中に接触することになり、衛生的であると共に、便蓋に合せ目が存在しないので、見栄えが良く、便蓋に塵やゴミが溜ることもない。
【図面の簡単な説明】
【図１】実施の形態に係る便蓋装置を備えた洋風便器の斜視図である。
【図２】図１の便蓋装置の作動態様を示す側面図である。
【図３】別の実施の形態に係る便蓋装置を備えた洋風便器の斜視図である。
【図４】図３の便蓋装置の作動態様を示す側面図である。
【図５】従来例に係る便蓋装置を備えた洋風便器の斜視図である。
【図６】図５の便蓋装置の開放途中時を示す斜視図である。
【図７】便座ボックスを備えた洋風便器の一例を示す斜視図である。
【図８】ロータンクカバーを備えた洋風便器の一例を示す斜視図である。
【符号の説明】
２０  洋風便器
２２，２２Ａ  ロータンクカバー
２４  便座
２６，４０  便蓋装置
２８，４２  便蓋
３０  アーム
４４  ガードレール
４６  ラック
４８  駆動装置
５０  ピニオン
【図１】
2004223073.tif 000003
【図２】
2004223073.tif 000004
【図３】
2004223073.tif 000005
【図４】
2004223073.tif 000006
【図５】
2004223073.tif 000007
【図６】
2004223073.tif 000008
【図７】
2004223073.tif 000009
【図８】
2004223073.tif 000010